(57)【特許請求の範囲】
【請求項１】
遊技盤の前面に特定の条件を満たしたときに特定遊技状態を発生させる可変入賞装置を備えたパチンコ遊技機において、
前記可変入賞装置は、遊技球を当該可変入賞装置の内部へ導入不能な形態と導入可能な形態との間で動作可能な一対の導入部材を有する導入部と、
前記一対の導入部材の夫々に形成され、遊技球を保持する保持部と、
遊技球を特定領域とそれ以外の領域へ振り分ける振り分け部と、
前記導入部の近傍を起点にして前記振り分け部まで延長され前記導入部により導入された遊技球を前記振り分け部へ誘導する一対の誘導通路と、を備え、
前記振り分け部は、複数の遊技球が前記一対の誘導通路上を同一タイミングで流下したときに前記各遊技球が合流する合流位置に形成され、最小開口幅が前記遊技球の直径より大きく且つ最大開口幅が遊技球の直径の２倍より小さい四角形状であって、前記遊技盤面の後方側から前方側に向けてハの字状に拡がって開口する開口部を有し、前記開口部の左右端縁には夫々前記開口部の内側に向けて下向き傾斜し、且つ、前記遊技盤面の後方側から前方側に向けて下向き傾斜する傾斜面が設けられていることを特徴とするパチンコ遊技機。
【請求項２】
前記特定領域の鉛直上方に形成され、前記振り分け部により前記特定領域側へ振り分けられた遊技球を前記特定領域へ誘導する特定領域誘導通路を備えたことを特徴とする請求項１に記載のパチンコ遊技機。
【請求項３】
前記保持部から前記遊技球の合流位置に至るまでの夫々の長さがほぼ同じであることを特徴とする請求項１又は２に記載のパチンコ遊技機。
【請求項４】
遊技盤の前面に特定の条件を満たしたときに特定遊技状態を発生させる可変入賞装置を備えたパチンコ遊技機において、
前記可変入賞装置は、遊技球を当該可変入賞装置の内部へ導入不能な形態と導入可能な形態との間で動作可能な導入部と、
遊技球を特定領域とそれ以外の領域へ振り分ける振り分け部と、
前記導入部の近傍を起点にして前記振り分け部まで延長され前記導入部により導入された遊技球を前記振り分け部へ誘導する一対の誘導通路と、
前記一対の誘導通路に前記導入部から導入された遊技球を夫々保持する保持手段と、を備え、
前記振り分け部は、複数の遊技球が前記一対の誘導通路上を同一タイミングで流下したときに前記各遊技球が合流する合流位置に形成され、最小開口幅が前記遊技球の直径より大きく且つ最大開口幅が遊技球の直径の２倍より小さい四角形状であって、前記遊技盤面の後方側から前方側に向けてハの字状に拡がって開口する開口部を有し、前記開口部の左右端縁には夫々前記開口部の内側に向けて下向き傾斜し、且つ、前記遊技盤面の後方側から前方側に向けて下向き傾斜する傾斜面が設けられていることを特徴とするパチンコ遊技機。
【請求項５】
前記特定領域の鉛直上方に形成され、前記振り分け部により前記特定領域側へ振り分けられた遊技球を前記特定領域へ誘導する特定領域誘導通路を備えたことを特徴とする請求項４に記載のパチンコ遊技機。
【請求項６】
始動入賞口又は始動入賞口への入賞を振り分ける振り分け部へ遊技球を誘導する一対の誘導通路と、
前記一対の誘導通路に前記導入部から導入された遊技球を夫々保持する保持手段と、
前記一対の誘導通路に複数の遊技球が同一タイミングで進入したときに該遊技球が合流する合流位置に形成され、最小開口幅が前記遊技球の直径より大きく且つ最大開口幅が遊技球の直径の２倍より小さい四角形状であって、前記遊技盤面の後方側から前方側に向けてハの字状に拡がって開口する開口部と、を備え、
前記開口部の左右端縁には夫々前記開口部の内側に向けて下向き傾斜し、且つ、前記遊技盤面の後方側から前方側に向けて下向き傾斜する傾斜面が設けられていることを特徴とするパチンコ遊技機。
【請求項７】
前記保持手段から前記遊技球の合流位置に至るまでの夫々の長さがほぼ同じであることを特徴とする請求項４乃至６の何れか一項に記載のパチンコ遊技機。
【発明の詳細な説明】
【技術分野】
【０００１】
本発明はパチンコ遊技機に関わり、特に、特定の条件を満たしたときに特定遊技状態を発生させる可変入賞装置を備えたパチンコ遊技機に好適なものである。
【背景技術】
【０００２】
従来から「ヒコーキ」或いは「羽根物」等と称されているパチンコ遊技機は、周知のように、一対の羽根（可動片）からなる可変入賞装置が遊技盤に設けられ、所定の始動口に遊技球が入賞すると、ソレノイドが作動して可変入賞装置の羽根が１回ないし２回開閉作動し、遊技盤面を流下する遊技球を捕捉して可変入賞装置内に導くように構成されている。可変入賞装置の内部には、Ｖゾーンと称される特定入賞口が設けられており、可変入賞装置に入賞した遊技球が、さらに特定入賞口に入賞した場合は、特定遊技状態（大当たり）が発生する。特定遊技状態においては、ソレノイドの作動により羽根が所定の期間開放されるか、所定の期間に規定数の遊技球の入賞が検出されるまで継続的に開閉するか、もしくは、所定回数（例えば１８回）継続的に開閉することで、第１ラウンドとして動作する。そして、当選した大当たりの内容に応じて第２ラウンドが連続的に開始されて羽根の継続的な開閉が更に繰り返される。以下同様に所定ラウンド数（当選した大当たりの内容に応じて、最高１６ラウンド）まで繰り返され、このような特定遊技状態の期間中に多数の遊技球を獲得できるようにしたものである。
【０００３】
なお、先行文献として特許文献１には、可変入賞装置の遊技球入賞領域に遊技球の入賞経路を複数設けると共に、いずれの入賞経路を通過したかを検出できる入賞経路検出手段を設け、特定遊技状態となった場合に遊技者にとっての有利または不利の遊技態様を遊技球の入賞経路によって決定するようにしたパチンコ遊技機が開示されている。
【特許文献１】特開２００２−１８００７公報
【発明の開示】
【発明が解決しようとする課題】
【０００４】
ところで、この種のパチンコ遊技機は、可変入賞装置内に入賞した遊技球が特定入賞口にさらに入賞するパターンが次の場合に限られたものとなる。具体的には、遊技球が特定のタイミングで可変入賞装置内に入賞したときに遊技球が特定の経路に流れて特定入賞口に入賞する場合と、複数個の遊技球が同時に可変入賞装置内に入賞したときに遊技球が衝突することによって特定入賞口に入賞する場合が主となる。
【０００５】
しかしながら、前者は、遊技球が可変入賞装置内へ入賞するタイミングによって特定入賞口に入賞するか否かがほぼ決定してしまうため、ゲーム性が単純になる。一方、後者は、遊技球の衝突等といった予期せぬ動きをして特定入賞口への入賞が発生するため、遊技者に対して面白みのあるゲーム性となるが、偶然的な要素が強く前者に比べて特定入賞口への入賞確率が低くなる。このため、この種のパチンコ遊技機は遊技者が飽きやすいという欠点があった。
そこで、本発明は上記に鑑みてなされたものであり、遊技者が飽きない魅力的なゲーム性を有するパチンコ遊技機を提供することを目的とする。
【課題を解決するための手段】
【０００６】
上記目的を達成するため、請求項１に記載のパチンコ遊技機は、遊技盤の前面に特定の条件を満たしたときに特定遊技状態を発生させる可変入賞装置を備えたパチンコ遊技機において、前記可変入賞装置は、遊技球を当該可変入賞装置の内部へ導入不能な形態と導入可能な形態との間で動作可能な一対の導入部材を有する導入部と、前記一対の導入部材の夫々に形成され、遊技球を保持する保持部と、遊技球を特定領域とそれ以外の領域へ振り分ける振り分け部と、前記導入部の近傍を起点にして前記振り分け部まで延長され前記導入部により導入された遊技球を前記振り分け部へ誘導する一対の誘導通路と、を備え、前記振り分け部は、複数の遊技球が前記一対の誘導通路上を同一タイミングで流下したときに前記各遊技球が合流する合流位置に形成され、最小開口幅が前記遊技球の直径より大きく且つ最大開口幅が遊技球の直径の２倍より小さい四角形状であって、前記遊技盤面の後方側から前方側に向けてハの字状に拡がって開口する開口部を有し、前記開口部の左右端縁には夫々前記開口部の内側に向けて下向き傾斜し、且つ、前記遊技盤面の後方側から前方側に向けて下向き傾斜する傾斜面が設けられていることを特徴とする。
【０００７】
また請求項２に記載のパチンコ遊技機は、前記特定領域の鉛直上方に形成され、前記振り分け部により前記特定領域側へ振り分けられた遊技球を前記特定領域へ誘導する特定領域誘導通路を備えたことを特徴とする。
また請求項３に記載のパチンコ遊技機は、前記保持部から前記遊技球の合流位置に至るまでの夫々の長さがほぼ同じであることを特徴とする。
また請求項４に記載のパチンコ遊技機は、遊技盤の前面に特定の条件を満たしたときに特定遊技状態を発生させる可変入賞装置を備えたパチンコ遊技機において、前記可変入賞装置は、遊技球を当該可変入賞装置の内部へ導入不能な形態と導入可能な形態との間で動作可能な導入部と、遊技球を特定領域とそれ以外の領域へ振り分ける振り分け部と、前記導入部の近傍を起点にして前記振り分け部まで延長され前記導入部により導入された遊技球を前記振り分け部へ誘導する一対の誘導通路と、前記一対の誘導通路に前記導入部から導入された遊技球を夫々保持する保持手段と、を備え、前記振り分け部は、複数の遊技球が前記一対の誘導通路上を同一タイミングで流下したときに前記各遊技球が合流する合流位置に形成され、最小開口幅が前記遊技球の直径より大きく且つ最大開口幅が遊技球の直径の２倍より小さい四角形状であって、前記遊技盤面の後方側から前方側に向けてハの字状に拡がって開口する開口部を有し、前記開口部の左右端縁には夫々前記開口部の内側に向けて下向き傾斜し、且つ、前記遊技盤面の後方側から前方側に向けて下向き傾斜する傾斜面が設けられていることを特徴とする。
また請求項５に記載のパチンコ遊技機は、前記特定領域の鉛直上方に形成され、前記振り分け部により前記特定領域側へ振り分けられた遊技球を前記特定領域へ誘導する特定領域誘導通路を備えたことを特徴とする。
【０００８】
また請求項６に記載のパチンコ遊技機は、始動入賞口又は始動入賞口への入賞を振り分ける振り分け部へ遊技球を誘導する一対の誘導通路と、前記一対の誘導通路に前記導入部から導入された遊技球を夫々保持する保持手段と、前記一対の誘導通路に複数の遊技球が同一タイミングで進入したときに該遊技球が合流する合流位置に形成され、最小開口幅が前記遊技球の直径より大きく且つ最大開口幅が遊技球の直径の２倍より小さい四角形状であって、前記遊技盤面の後方側から前方側に向けてハの字状に拡がって開口する開口部と、を備え、前記開口部の左右端縁には夫々前記開口部の内側に向けて下向き傾斜し、且つ、前記遊技盤面の後方側から前方側に向けて下向き傾斜する傾斜面が設けられていることを特徴とする。
また請求項７に記載のパチンコ遊技機は、前記保持手段から前記遊技球の合流位置に至るまでの夫々の長さがほぼ同じであることを特徴とする。
【発明の効果】
【０００９】
本発明のパチンコ遊技機によれば、可変入賞装置の導入部により遊技球が複数個捕捉され一対の誘導通路上に同じタイミングで遊技球が落下した場合は、遊技球の衝突を利用しつつ、比較的高い入賞確率でもって遊技球を特定領域へ入賞をさせることができるため、遊技者にとって魅力的なゲーム性を実現することができる。
【００１０】
また本発明をパチンコ遊技機の始動口に遊技球を誘導する誘導通路に適用すれば、両側の誘導通路から同じタイミング遊技球が流下してきた場合でも遊技球が開口部付近において詰まるのを防止すると共に、同一タイミングの遊技球が複数成立したという特殊な条件を満たした場合には、始動口へ遊技球が入賞し易くなるという新たな楽しみを付加することができる。
【発明を実施するための最良の形態】
【００１１】
以下、本発明の実施の形態を図面に従い説明する。
図１は、本発明の実施形態に係るパチンコ遊技機の全体正面図である。
この図１に示す本実施形態のパチンコ遊技機は、矩形形状の枠１００を備え、この枠１００に遊技盤１が取り付けられている。遊技盤１の前面中央には可変入賞装置２が設けられている。また可変入賞装置２の下方には３つの始動口３Ａ、３Ｂ、３Ｃが並設されていると共に、可変入賞装置２の左右両側には夫々普通入賞口４、５が設けられている。なお、遊技盤１の前面側には、図示しないガラス枠が開閉可能に取り付けられている。
遊技盤１の下方には、遊技盤１に対して遊技球を発射する発射装置に遊技球を供給する発射球供給皿６、発射球供給皿６から溢れた遊技球を貯留する下皿７、打球発射用ハンドル８、遊技者に音声／効果音を発するスピーカ９等が設けられている。
【００１２】
図２は、可変入賞装置２の構造を示した図であり、図２（ａ）は概略斜視図、図２（ｂ）は正面図である。また図３は可変入賞装置２内に設けられている遊技室の構造を示した図であり、図３（ａ）は図２（ｂ）に示したＡ−Ａ線により可変入賞装置２の上部を切断した状態を示した斜視図、図３（ｂ）はＡ−Ａ線により切断した断面図、図３（ｃ）は図３（ａ）に示す破線円Ｂの部分の拡大図である。
図２（ａ）（ｂ）に示すように、可変入賞装置２は遊技盤１に取り付けられる取付基板１０の前面に半透明なプラスチック板からなる枠体１１を突出するように形成し、この枠体１１によって囲われた遊技室１２をその背後に形成するようにしている。
【００１３】
枠体１１の上部両側にはカウントスイッチを備えた可変入賞口１３が夫々配置され、可変入賞口１３の近傍両側に遊技球を可変入賞装置２内へ導入する導入部として一対の可動片（導入部材）１４が設けられている。なお、本実施形態では導入部として羽根形態の一対の可動片１４を設けるようにしているが、これはあくまでも一例であり、例えば羽根形態では無い可動片や、片翼しかない羽根形態の可動片でも良い。
一対の可動片１４は、開成条件により遊技球を可変入賞装置２の内部へ導入不能な形態と導入可能な形態との間を交互に変形可能に構成されている。即ち、一対の可動片１４は、図１に示した始動口３Ａ、３Ｂ、３Ｃへの入賞に連動して開閉を行うことで、遊技盤１を流下する遊技球を捕捉して可変入賞装置２内へ導入するように構成されている。なお、図２（ｂ）には、実線により開状態の可動片１４が示され、仮想線により閉状態の可動片１４が示されている。
一対の可動片１４の上面には、図２（ａ）に示すように、開状態のときに捕捉した遊技球を一時的に保持する保持部１５が形成されている。この保持部１５は、例えば遊技球とほぼ同じ直径を有する半球状の凹部とされる。なお、枠体１１の上部前面にはドットマトリックス表示器１６が設けられる。
【００１４】
一対の可動片１４により捕捉されて可変入賞装置２内に導入された遊技球は、可変入賞口１３を通過して、図３（ａ）（ｂ）に示す遊技室１２内の一対の誘導通路１７上に落下する。
一対の誘導通路１７は、中央方向に向かって緩やかに傾斜しているため、誘導通路１７上に落下した遊技球は中央部に位置する開口部（振り分け部）１８へ向かって流れることになる。一対の誘導通路１７は、可変入賞口１３から遊技球が流下してくる位置から開口部１８に至るまでの長さがほぼ同じとされる。
開口部１８は、図３（ｃ）の拡大図に示すように、遊技盤１の遊技盤面に対して後方側から前方側にかけて上面がハの字状に拡がりを有するように形成されている。またその両端部は誘導通路１７の横方向に対して斜めに、且つ、後方側から前方側にかけて左右対称に傾斜した傾斜面が形成されている。また、開口部１８の口径（開口幅）は、誘導通路１７より１個の遊技球が流下してきた際は遊技球を確実に落下することができる大きさで、且つ、両側の誘導通路１７から夫々同じタイミングで遊技球が流下してきた際は、遊技球が落下し難い大きさ、即ち遊技球の直径より大きく遊技球の直径の２倍より小さいサイズに設定することで、両側の誘導通路１７から夫々同じタイミングで流下した遊技球が互いに支持しつつ前方向に移動可能な構成となっている。なお、実際には遊技球の約１．５倍〜２倍程度の範囲で設定することが好ましい。また、誘導通路１７の両端部に形成する傾斜面は左右対称に形成することが好ましいが左右非対称であっても良い。
【００１５】
また、開口部１８より前方で、且つ、開口部１８より下方位置には、遊技球を後述する特定領域である特定入賞口２２へダイレクトに誘導する特別誘導通路１９が形成されている。なお、特別誘導通路１９への遊技球の流れは後述する。
また特別誘導通路１９の下部後面には、遊技球が通過可能な形状の貫通穴２６が設けられており、後述するように人形３０の股下部に開設された放出口より流下した遊技球が貫通穴２６を通って特定入賞口２２に入賞できるように構成されている。
開口部１８から落下した遊技球は、通常、その下に位置する傾斜棚２０上に落下する。傾斜棚２０は、横断状で後方に向けて緩やかに下傾するように形成されており、傾斜棚２０の後方には遊技球が落下し得る間隔を開けて人形３０が配置されている。また遊技室１２の床面２１は緩やかに前傾するように形成され、その前縁中央部に特定入賞口２２が配置されている。特定入賞口２２には特定領域スイッチ２３が備えられている。また特定入賞口２２の両サイドには、やや広めの非特定入賞口２４が配置されている。なお、特定入賞口２２に特定遊技状態を継続させる継続入賞口としての機能を持たせることも勿論可能である。
【００１６】
人形３０の詳細は、特許文献１に開示されているため、ここでは簡単に説明するが、人形３０の腹部には、図示しないが前方に進出可能に設けられたポケット形の進退動型電動部材が設けられている。また人形３０の後側には遊技球が通過し得る通路が形成され、この通路が人形３０の股下部に開設された放出口に連通するよう形成されている。そして、放出口から放出された遊技球が特定入賞口２２の直前に位置する滞留レバー２５（図２（ｂ）参照）により一時停留されるように構成している。
【００１７】
また、人形３０の両側で傾斜棚２０の両サイド後方には、図２（ｂ）に示すように半球殻状の回転型電動部材３１が設けられている。この回転型電動部材３１には透孔３２が等間隔に形成されており、傾斜棚２０上に落下した遊技球は傾斜棚２０の後方側から落下する他、回転型電動部材３１の透孔３２からその内側に落下し、後側正面壁の両側に開設されたサブ放出口３３から床面２１に放出するように構成されている。
なお、図１乃至図３では、本発明の特徴的な構成である誘導通路１７及び特別誘導通路１９の構造を分かり易くするため、人形３０が誘導通路１７及び特別誘導通路１９によって隠れているが、誘導通路１７及び特別誘導通路１９を透明部材により形成すれば人形３０が隠れてしまうことはない。
【００１８】
次に、上記したような可変入賞装置２における遊技球の流れを説明する。先ず、可変入賞装置２内に１個の遊技球が入賞した時の流れを説明する。
可変入賞装置２の可動片１４により捕捉され可変入賞口１３を通過した遊技球Ｐは、図４（ａ）に示すように、遊技室１２内に設けられた一対の誘導通路１７上の何れか一方に落下する。誘導通路１７上に落下した遊技球Ｐは開口部１８へ向かって流れ、開口部１８から傾斜棚２０上に落下する。傾斜棚２０上に遊技球Ｐが落下した場合は、傾斜棚２０上を後方に転がって人形３０の前に落下したり、或いは傾斜棚２０上にて両サイドにずれると回転中の回転型電動部材３１に接触して弾かれたり、或いは透孔３２中に転落する。このとき、回転型電動部材３１の回転速度が遅いと透孔３２に転落し易くなる。透孔３２に転落した遊技球Ｐはサブ放出口３３から床面２１上に放出されるため、直下方に転がって非特定入賞口２４に入賞し易く特定入賞口２２に入賞することは殆どない。また傾斜棚２０から床面２１上に落下した遊技球Ｐは、特別誘導通路１９に形成された貫通穴２６を通り抜けて特定入賞口２２に入賞することもあるが、非特定入賞口２４に入賞する確率が高い。
【００１９】
これに対して、遊技球Ｐが傾斜棚２０から落下するときに、人形３０の腹部に設けられた進退動型電動部材が進出していると、遊技球Ｐがこの進退動型電動部材によって受けられ、電動部材が後退したときに遊技球Ｐは、人形３０の股下部に開設された放出口から放出され、滞留レバー２５により一時停留された後、床面２１を真っ直ぐ前方に転がることから、特別誘導通路１９に形成された貫通穴２６を通り抜けて中央の特定入賞口２２に容易に入賞して特定領域スイッチ２３を作動させる。
【００２０】
次に、可変入賞装置２内に遊技球が２個入賞した時の流れを説明する。
可変入賞装置２の可動片１４により捕捉され可変入賞口１３を通過した２個の遊技球Ｐ１、Ｐ２が、図５（ａ）に示すように左右両側の誘導通路１７上に同じタイミングで落下した場合、遊技球Ｐ１、Ｐ２が落下した地点から開口部１８までの長さはほぼ同じなので、誘導通路１７を流れる遊技球Ｐ１、Ｐ２は、図５（ｂ）に示すように開口部１８の位置において衝突・接触する。なお、本実施形態の可変入賞装置２は、先に述べたように、一対の可動片１４の上面に夫々保持部１５を形成しているので、この保持部１５に夫々遊技球が保持された時にほぼ同じタイミングで左右両側の誘導通路１７上に遊技球Ｐ１、Ｐ２を落下させることが可能になる。
【００２１】
開口部１８は、先に述べたように、遊技盤１の盤面に対して後方側から前方側にかけてハの字状に広がって形成されていると共に、その両端部が、誘導通路１７の横手方向に対して斜めに、且つ、後方側から前方側に向けて傾斜するように形成されている。また、図５（ｂ）の位置で衝突した遊技球Ｐ１、Ｐ２は衝突の衝撃で図５（ｃ）に示すように、いずれか一方が前方に位置するように斜めに再配置され、開口部１８上で接触した遊技球Ｐ１、Ｐ２のうち、いずれか一方の遊技球は、開口部１８の端部の傾斜に沿ってもう一方の遊技球によって前方に押し出されることになる。このとき、前方に転がった遊技球は、開口部１８の前方から落下するので、図４（ｄ）に示すように開口部１８の前方に位置する特別誘導通路１９内に落下して特定入賞口２２に入賞する確率が高くなる。
【００２２】
なお、可変入賞装置２内に複数個の遊技球が入賞した場合でも、図４（ｂ）に示すように、誘導通路１７上に異なるタイミングで落下した場合、或いは何れか一方の誘導通路１７にのみ遊技球が落下した場合は、可変入賞装置２内に１個の遊技球が入賞した時の流れとほぼ同じになる。
【００２３】
このように本実施形態のパチンコ遊技機においては、従来の遊技球の流れに加えて、可変入賞装置２の可動片１４により複数個の遊技球が捕捉されて左右両側の一対の誘導通路１７上に同じタイミングで遊技球が落下した場合は、遊技球が衝突や接触など相互に影響を与えやすいように構成しつつ、従来に比べて特定入賞口２２への入賞パターンが多様化するように構成したことによって、遊技者にとって魅力的なゲーム性を提供することができる。
【００２４】
また本実施形態のパチンコ遊技機は、特定入賞口２２の鉛直上方に特別誘導通路１９を形成したことで、開口部１８により特定入賞口２２側へ振り分けられた遊技球が特定入賞口２２へ入賞する確率を高めることができる。また、この特別誘導通路１９のサイズや長さを調整することで、特定入賞口２２への入賞確率を調整することも可能になる。
【００２５】
また本実施形態のパチンコ遊技機では、一対の可動片１４の上面に遊技球を保持する保持部１５を形成したことで、左右両側の誘導通路１７上に同じタイミングで遊技球を落下させることが可能になる。
なお、図示は省略するが夫々の誘導通路１７に可動片１４からの遊技球を夫々一時的に停留させて保持する保持手段、例えば可動可能な突起等を設けるようにした場合も左右両側の誘導通路１７上に同じタイミングで遊技球を落下させるのと同様の効果が得られる。
【００２６】
さらに、本実施形態のパチンコ遊技機は、可動片１４の上面に夫々形成した保持部１５から開口部１８上の合流位置に至るまでの長さ、或いは誘導通路１７に設けた保持手段から開口部１８上の合流位置に至るまでの長さほぼ同じにすることで、保持部１５又は保持手段において遊技球が保持したときに開口部１８上において遊技球を確実に衝突させることができる。
【００２７】
なお、本実施形態では、本発明の誘導通路の構造を可変入賞装置に適用した場合を例に挙げて説明したが、これはあくまでも一例であり、例えば本発明の誘導通路の構造を始動入賞口又は始動入賞口への入賞を振り分ける振り分け部へ遊技球を誘導する誘導通路にも適用することができる。その場合は、始動入賞口又は始動入賞口への入賞を振り分ける振り分け部に遊技球を誘導する誘導通路として、遊技球を夫々誘導可能な一対の誘導通路と、一対の誘導通路に同一タイミングで遊技球が進入したときに遊技球が合流する位置に形成される開口部と備えるようにする。そして、遊技盤面の後方側から前方側にかけてハの字状に拡がった開口を形成すると共に、その端部が誘導通路の横手方向に対して斜めに、且つ、後方側から前方側に向けて傾斜するように形成すれば良い。
【００２８】
このように構成すれば、遊技球を始動入賞口に誘導する誘導経路における球の流れが面白みのあるものとなり、遊技者に飽きのこないゲーム性を提供することができる。また両側の誘導通路から同じタイミングで遊技球が送られてきた場合でも開口部において遊技球が詰まるといったことがなく遊技球を始動入賞口又は始動入賞口への入賞を振り分ける振り分け部の方向に流下することができるという利点がある。
【図面の簡単な説明】
【００２９】
【図１】本発明の実施形態に係るパチンコ遊技機の全体正面図。
【図２】本実施形態の可変入賞装置２の構造を示した図。
【図３】可変入賞装置２内に設けられている遊技室の構造を示した図。
【図４】本実施形態の可変入賞装置内に遊技球が入賞した時の流れを説明する図。
【図５】本実施形態の可変入賞装置内に遊技球が入賞した時の流れを説明する図。
【符号の説明】
【００３０】
１…遊技盤、２…可変入賞装置、３Ａ、３Ｂ、３Ｃ…始動口、４、５…普通入賞口、６…発射球供給皿、７…下皿、８…打球発射用ハンドル、９…スピーカ、１０…基板、１１…枠体、１２…遊技室、１３…可変入賞口、１４…可動片、１５…保持部、１６…ドットマトリックス表示器、１７…誘導通路、１８…開口部、１９…特別誘導通路、２０…傾斜棚、２１…床面、２２…特定入賞口、２３…特定領域スイッチ、２４…非特定入賞口、２５…滞留レバー、２６…貫通穴、３０…人形、３１…回転型電動部材、３２…透孔、３３…サブ放出口、１００…枠
【図１】
0004437800.tif 000002
【図２】
0004437800.tif 000003
【図３】
0004437800.tif 000004
【図４】
0004437800.tif 000005
【図５】
0004437800.tif 000006